(57)【要約】      （修正有）【課題】光コネクタを接続する接続口に装着されるキャップを着脱する際に、キャップの落下を抑制することができるキャップ着脱用工具を提供する。【解決手段】光コネクタを接続する接続口に装着されるキャップ１であって、フランジ３が設けられたキャップ頭部２と、キャップ頭部に形成された孔部４とを有するキャップのキャップ着脱用工具であって、キャップ頭部が収容される収容部１３と、孔部に挿入される挿入部１４とを備えるキャップ保持部１１を有する。【選択図】図６
2019219441.tif 000002
【特許請求の範囲】
【請求項１】
光コネクタを接続する接続口に装着されるキャップであって、フランジが設けられたキャップ頭部と、前記キャップ頭部に形成された孔部とを有する前記キャップのキャップ着脱用工具であって、
前記キャップ頭部が収容される収容部と、前記孔部に挿入される挿入部とを備えるキャップ保持部を有する
ことを特徴とするキャップ着脱用工具。
【請求項２】
請求項１に記載のキャップ着脱用工具であって、
前記キャップ頭部が前記収容部に収容された状態で、前記孔部に前記挿入部が挿入される保持状態と、前記保持状態を解除する保持解除状態とを切り替える操作部を有する
ことを特徴とするキャップ着脱用工具。
【請求項３】
請求項２に記載のキャップ着脱用工具であって、
前記キャップ保持部は、前記収容部と前記挿入部との位置関係を復元させるスプリングをさらに備える
ことを特徴とするキャップ着脱用工具。
【請求項４】
請求項１〜３のいずれに記載のキャップ着脱用工具であって、
前記孔部に挿入されているときの前記挿入部の端面は、前記挿入部が前記孔部に挿入されていないときの前記キャップ保持部の端面よりも突出している
ことを特徴とするキャップ着脱用工具。
【請求項５】
請求項２に記載のキャップ着脱用工具であって、
複数の前記キャップ保持部を有し、
前記操作部は、前記複数のキャップ保持部がそれぞれ備える前記挿入部を、複数の前記キャップの前記孔部にそれぞれ挿入させる
ことを特徴とするキャップ着脱用工具。
【発明の詳細な説明】
【技術分野】
【０００１】
本発明は、キャップ着脱用工具に関する。
【背景技術】
【０００２】
光接続箱や光配線箱等を構成する光配線ユニットとして、複数の光ファイバ収容トレイを筐体内に挿入して収容するものが知られている。このように筐体内に収容されるそれぞれの光ファイバ収容トレイには、手前側（作業者側）から光コネクタプラグ（以下、単に「光プラグ」と呼ぶことがある）が接続口に対して着脱可能な複数の光アダプタが設けられている。このような光配線ユニットに設けられた光アダプタに関して、例えば、特許文献１には、光プラグが挿入されていないときに接続口を保護するための防塵用キャップが開示されている。
【先行技術文献】
【特許文献】
【０００３】
【特許文献１】特開２０１０−１４５９７４号公報
【発明の概要】
【発明が解決しようとする課題】
【０００４】
複数の光アダプタを備えた光ファイバ収容トレイを筐体に多段に配置すること等により、光配線ユニットの手前側（作業者側）には、複数の光プラグの接続口が高密度に配置されることがある。このように高密度に配置された接続口に対して、作業者がそれぞれのキャップを手でつまんで着脱することになる。このため、着脱時にキャップを落下させてしまうことがあった。
【０００５】
本発明は、光コネクタを接続する接続口に装着されるキャップを着脱する際に、キャップの落下を抑制することができるキャップ着脱用工具を提供することを目的とする。
【課題を解決するための手段】
【０００６】
本発明の幾つかの実施形態は、光コネクタを接続する接続口に装着されるキャップであって、フランジが設けられたキャップ頭部と、前記キャップ頭部に形成された孔部とを有する前記キャップのキャップ着脱用工具であって、前記キャップ頭部が収容される収容部と、前記孔部に挿入される挿入部とを備えるキャップ保持部を有することを特徴とするキャップ着脱用工具である。
【０００７】
本発明の他の特徴については、後述する明細書及び図面の記載により明らかにする。
【発明の効果】
【０００８】
本発明の幾つかの実施形態によれば、光コネクタを接続する接続口に装着されるキャップを着脱する際に、キャップの落下を抑制することができる。
【図面の簡単な説明】
【０００９】
【図１】図１Ａは、初期状態における本実施形態のキャップ着脱用工具１０の斜視図である。図１Ｂは、図１Ａにおけるキャップ保持部１１部分の拡大図である。
【図２】図２は、光配線ユニット９０の斜視図である。
【図３】図３Ａは、保持状態における本実施形態のキャップ着脱用工具１０の斜視図である。図３Ｂは、図３Ａにおけるキャップ保持部１１部分の拡大図である。
【図４】図４Ａは、保持状態における、キャップ１付きの本実施形態のキャップ着脱用工具１０の斜視図である。図４Ｂは、図４Ａにおけるキャップ保持部１１部分の拡大図である。
【図５】図５Ａ及び図５Ｂは、保持状態における、キャップ１付きの本実施形態のキャップ着脱用工具１０のキャップ保持部１１部分を拡大した断面図である。
【図６】図６Ａ〜図６Ｃは、キャップ１を保持する様子を示す本実施形態のキャップ着脱用工具１０の断面図である。
【図７】図７Ａ及び図７Ｂは、キャップ１を保持する様子を示す本実施形態の変形例に係るキャップ着脱用工具１０の平面図である。
【発明を実施するための形態】
【００１０】
後述する明細書及び図面の記載から、少なくとも以下の事項が明らかとなる。
【００１１】
光コネクタを接続する接続口に装着されるキャップであって、フランジが設けられたキャップ頭部と、前記キャップ頭部に形成された孔部とを有する前記キャップのキャップ着脱用工具であって、前記キャップ頭部が収容される収容部と、前記孔部に挿入される挿入部とを備えるキャップ保持部を有することを特徴とするキャップ着脱用工具が明らかとなる。このようなキャップ着脱用工具によれば、光コネクタを接続する接続口に装着されるキャップを着脱する際に、キャップの落下を抑制することができる。
【００１２】
前記キャップ頭部が前記収容部に収容された状態で、前記孔部に前記挿入部が挿入される保持状態と、前記保持状態を解除する保持解除状態とを切り替える操作部を有することが望ましい。これにより、光コネクタを接続する接続口に装着されるキャップを着脱する際に、キャップの落下を抑制することができる。
【００１３】
前記キャップ保持部は、前記収容部と前記挿入部との位置関係を復元させるスプリングをさらに備えることが望ましい。これにより、保持状態から保持解除状態に容易に切り替えることができる。
【００１４】
前記孔部に挿入されているときの前記挿入部の端面は、前記挿入部が前記孔部に挿入されていないときの前記キャップ保持部の端面よりも突出していることが望ましい。これにより、キャップ保持部に保持されるキャップが上側に抜けることをさらに抑制することができる。
【００１５】
複数の前記キャップ保持部を有し、前記操作部は、前記複数のキャップ保持部がそれぞれ備える前記挿入部を、複数の前記キャップの前記孔部にそれぞれ挿入させることが望ましい。これにより、光コネクタを接続する接続口に装着される複数のキャップを着脱する際に、キャップの落下を抑制することができる。
【００１６】
＝＝＝本実施形態＝＝＝
＜キャップ着脱用工具１０の概要＞
図１Ａは、初期状態における本実施形態のキャップ着脱用工具１０の斜視図である。図１Ｂは、図１Ａにおけるキャップ保持部１１部分の拡大図である。
【００１７】
以下の説明では、図に示すように各方向を定義する。すなわち、キャップ保持部１１の挿入部１４が突出している方向（図３Ａ及び図３Ｂを参照）を「前後方向」とし、操作部１２から見てキャップ保持部１１の側を「前」とし、逆側を「後」とする。キャップ頭部２の収容部１３への差し入れ方向（図６Ａ及び図６Ｂを参照）を「上下方向」とし、収容部１３における差し入れ口１５の側を「上」とし、逆側を「下」とする。また、「前後方向」及び「上下方向」と直交する方向を「左右方向」とし、前から後を見た時の右側を「右」とし、逆側を「左」とする。
【００１８】
キャップ着脱用工具１０は、光コネクタを接続する接続口に装着されるキャップを着脱するための工具である。後述する図２に示すように、光配線ユニット９０の光ファイバ収容トレイ９２に設けられた光アダプタ９３の接続口９４には、キャップ１が装着されている。本実施形態のキャップ着脱用工具１０は、このような光アダプタの接続口に装着されるキャップを着脱するための工具である。但し、本実施形態のキャップ着脱用工具１０は、光配線ユニット９０の光ファイバ収容トレイ９２以外に設けられた光アダプタの接続口に装着されるキャップを着脱するための工具であっても良い。また、キャップが装着される接続口としては、図２に示すような光アダプタ９３の接続口に限られず、例えば光レセプタクルの接続口であっても良い。
【００１９】
本実施形態のキャップ着脱用工具１０は、接続口にキャップを着脱する際に、図１Ａに示すキャップ保持部１１でキャップを保持することにより、キャップの落下を抑制することができる。以下の説明では、キャップ保持部１１によりキャップを保持している状態を「保持状態」と呼ぶことがある。また、キャップ保持部１１によりキャップを保持していない状態を「保持解除状態」と呼ぶことがある。なお、「保持解除状態」を「初期状態」と呼ぶこともある。図１では、保持解除状態（初期状態）における本実施形態のキャップ着脱用工具１０を示している。本実施形態のキャップ着脱用工具１０の詳細な構成については、後述する。
【００２０】
図２は、光配線ユニット９０の斜視図である。なお、図２では、接続口にキャップが装着されている状態と、接続口にキャップが装着されていない状態との比較を図示するために、光ファイバ収容トレイ９２に配列された複数の光アダプタ９３の接続口９４のうち、光ファイバ収容トレイ９２の右側の接続口９４については、キャップ１が装着された状態を示し、光ファイバ収容トレイ９２の左側の接続口９４については、キャップ１が装着されていない（抜去された）状態を示している。
【００２１】
光配線ユニット９０は、複数心を有する光ファイバケーブルを単心毎の光ファイバケーブルに分岐すると共に、分岐された単心の光ファイバケーブルの各端部が光配線ユニット９０の外部の機器と接続可能に成端された装置である。光配線ユニット９０は、筐体９１と、筐体９１に対してスライド可能に設けられた複数（ここでは３個）の光ファイバ収容トレイ９２とを有する。光配線ユニット９０の内外の光ファイバケーブル（不図示）をコネクタ接続可能にする複数の光アダプタ９３が、光ファイバ収容トレイ９２の前側に配列されている。本実施形態では、光アダプタ９３は、ＬＣコネクタ同士を接続する光アダプタであるが、これに限られない。
【００２２】
図２に示すように、本実施形態の光配線ユニット９０における光ファイバ収容トレイ９２では、複数（ここでは１２個）の光アダプタ９３が左右方向に配列されている。そして、それぞれの光アダプタ９３は、単心タイプの光プラグの接続口９４が４個ずつ配列されている。このため、光ファイバ収容トレイ９２は左右方向に計４８個の接続口９４を有する。但し、光アダプタ９３の配列方向や数はこの限りではない。また、光アダプタ９３における接続口９４の配列方向や数もこの限りではない。
【００２３】
図２に示すように、光アダプタ９３の接続口９４には、キャップ１が装着されている。キャップ１は、接続口９４を保護する部材である。キャップ１は、例えば防塵用キャップである。すなわち、キャップ１は、接続口９４に装着されることで、塵等が接続口９４の内部に進入することを抑制する。
【００２４】
キャップ１は、キャップ本体部５と、キャップ頭部２とを有する。
【００２５】
キャップ本体部５は、キャップ１のうち、接続口９４に装着される部位である。キャップ頭部２は、キャップ１のうち、接続口９４に装着されず、接続口９４から外部に飛び出る部位である。また、キャップ頭部２は、キャップ着脱用工具１０のキャップ保持部１１で保持される部位でもある。キャップ頭部２は、フランジ３と、孔部４とを有する。フランジ３は、キャップ本体部５の外周よりも外側に突出している部位である。孔部４は、キャップ頭部２側のキャップ１の端面から、キャップ本体部５に向かって内部に形成された孔である。孔部４は、キャップ保持部１１の挿入部１４に挿入される部位でもある。なお、キャップ１を肉薄にして成型時のひずみを抑制するために、孔部４がキャップ１に形成されている。
【００２６】
前述したように、図２に示す光配線ユニット９０の光ファイバ収容トレイ９２は左右方向に計４８個の接続口９４を有する。さらに、図２に示す光配線ユニット９０では、３個の光ファイバ収容トレイ９２が積み重なっているため、光配線ユニット９０の手前側（作業者側）には、複数（ここでは、１４４個）の接続口９４が高密度に配置されている。このような高密度に配置された接続口９４それぞれに対して、キャップ１が装着されることがある。仮に本実施形態のキャップ着脱用工具１０を使用せず、作業者の手作業によりキャップ１の着脱を行う場合、作業者は、例えば着脱対象のキャップ１のキャップ頭部２を手でつまんで着脱を行うことになる。しかし、高密度に配置された接続口９４に装着されるキャップ１を手でつまむことが困難な場合がある。このため、接続口９４にキャップ１を着脱する際に、キャップ１を不意に落下させてしまうおそれがある。さらに、図２では図示していないが、キャップ１の着脱対象以外の接続口９４に、既に光プラグが接続されていることがある。この場合、キャップ１の着脱作業の際、光プラグから手前側（作業者側）に延び出る光ファイバケーブルに触れてしまい、キャップ１を不意に落下させるおそれが高まることがある。さらに、光プラグから延び出る光ファイバケーブルに触れてしまうことで、光ファイバケーブルに曲げや損傷を与え、損失を増大させるおそれもある。
【００２７】
図１Ａに示すように、本実施形態のキャップ着脱用工具１０は、前後方向に細長い形状である。そして、キャップ着脱用工具１０の後側の端部に操作部１２が設けられ、キャップ着脱用工具１０の前側の端部にキャップ保持部１１が設けられている。ここで、後述するように、操作部１２は、作業者が手に持つ部位であり、キャップ保持部１１は、キャップ１を保持する部位である。つまり、着脱対象のキャップ１のキャップ頭部２を手でつまむ必要がない。これにより、接続口９４にキャップ１を着脱する際に、キャップ１を不意に落下させてしまうことを抑制することができる。
【００２８】
さらに、図１Ａに示すように、本実施形態のキャップ着脱用工具１０は、作業者が手に持つ操作部１２と、キャップ１を保持するキャップ保持部１１とが、所定の距離だけ離れている。このため、例えば着脱対象のキャップ１を接続口９４に装着するときに、作業者は、キャップ１を保持したキャップ保持部１１のみを接続口９４に接近させることができる。これにより、キャップ１の着脱対象以外の接続口９４に接続された光プラグから延び出る光ファイバケーブルに触れてしまうことを抑制することができる。なお、本実施形態のキャップ着脱用工具１０によるキャップ１の着脱動作については、後述する。
【００２９】
＜キャップ着脱用工具１０の構成＞
図３Ａは、保持状態における本実施形態のキャップ着脱用工具１０の斜視図である。図３Ｂは、図３Ａにおけるキャップ保持部１１部分の拡大図である。図４Ａは、保持状態における、キャップ１付きの本実施形態のキャップ着脱用工具１０の斜視図である。図４Ｂは、図４Ａにおけるキャップ保持部１１部分の拡大図である。図５Ａ及び図５Ｂは、保持状態における、キャップ１付きの本実施形態のキャップ着脱用工具１０のキャップ保持部１１部分を拡大した断面図である。
【００３０】
キャップ着脱用工具１０は、本体部２０と、本体部２０に挿通されたスライド部２１とを有する。そして、前述したように、本体部２０とスライド部２１とで構成されるキャップ着脱用工具１０の後側の端部に操作部１２が設けられ、キャップ着脱用工具１０の前側の端部にキャップ保持部１１が設けられている。
【００３１】
キャップ保持部１１は、キャップ１を着脱する際にキャップ１を保持する部位である。キャップ保持部１１は、キャップ１のキャップ頭部２が前後方向、左右方向及び上下方向にキャップ保持部１１から抜けることを規制することにより、キャップ１を保持する。図４Ａ及び図４Ｂに示すように、キャップ保持部１１は、キャップ本体部５がキャップ保持部１１から前側を飛び出るようにキャップ１を保持する。これにより、作業者は、キャップ保持部１１により保持されたキャップ１のキャップ本体部５を、光アダプタ９３の接続口９４に相対移動させるだけで、キャップ１を接続口９４に容易に着脱させることができる。
【００３２】
キャップ保持部１１は、収容部１３と、挿入部１４とを有する。
【００３３】
収容部１３は、キャップ保持部１１に保持されるキャップ１のキャップ頭部２を収容する部位である。収容部１３は、前述した本体部２０の前側端部に設けられた部位である。図４Ａ〜図５Ｂに示すように、本実施形態のキャップ着脱用工具１０では、キャップ頭部２が収容される収容部１３の底面により、キャップ１は、下方向の移動が規制される。
【００３４】
図３Ａ〜図４Ｂに示すように、収容部１３の上側には、差し入れ口１５が設けられている。差し入れ口１５は、キャップ１のキャップ頭部２を収容部１３に出し入れするための部位である。差し入れ口１５は、収容部１３を形作るキャップ保持部１１のうち上側が切り欠かれた部分である。
【００３５】
また、図３Ａ〜図４Ｂに示すように、収容部１３の前側には、絞り部１７が設けられている。絞り部１７は、キャップ頭部２の左右方向、下方向及び前方向の移動を規制する部位である。図４Ｂに示すように、本実施形態のキャップ着脱用工具１０では、絞り部１７には、キャップ保持部１１から前側を飛び出るキャップ本体部５が載置される。これにより、キャップ１は、左右方向及び下方向の移動が規制される。また、本実施形態のキャップ着脱用工具１０では、絞り部１７のキャップ本体部５が載置される部分の内周は、キャップ頭部２のフランジ３の外周よりも小さく形成されている。このため、収容部１３に収容されたキャップ頭部２がキャップ保持部１１に対して前側に移動しても、キャップ頭部２のフランジ３が絞り部１７に当たって、キャップ頭部２がキャップ保持部１１に対してそれ以上前側に移動できないようになっている。これにより、キャップ保持部１１に保持されるキャップ１が前側に抜けることを抑制することができる。
【００３６】
また、図３Ｂに示すように、収容部１３の後側には、内部端面２２が設けられている。内部端面２２は、キャップ頭部２の後方向の移動を規制する部位である。収容部１３に収容されたキャップ頭部２がキャップ保持部１１に対して後側に移動しても、キャップ頭部２が内部端面２２に当たって、キャップ頭部２がキャップ保持部１１に対してそれ以上後側に移動できないようになっている。
【００３７】
挿入部１４は、キャップ頭部２の上方向の移動を規制する部位である。挿入部１４は、前述したスライド部２１の前側端部に設けられた部位である。挿入部１４は、前述した本体部２０に形成された孔に挿通されており、内部端面２２から収容部１３に対して突出可能となっている。前述した図１Ｂに示すように、保持解除状態（初期状態）における本実施形態のキャップ着脱用工具１０では、挿入部１４は、後側に引っ込んでおり、収容部１３に対して突出していない。しかし、図３Ｂに示すように、保持状態における本実施形態のキャップ着脱用工具１０では、挿入部１４は、前側に突出しており、収容部１３に対して突出している。図４Ｂに示すように、保持状態における本実施形態のキャップ着脱用工具１０では、収容部１３にキャップ１が収容されており、キャップ頭部２に形成された孔部４に挿入部１４が挿入されることになる。
【００３８】
前述したように、収容部１３の上側には、差し入れ口１５が設けられており、保持解除状態（初期状態）では、差し入れ口１５を通ってキャップ１のキャップ頭部２を収容部１３に出し入れ可能となっている。しかし、保持状態では、キャップ頭部２の孔部４に挿入部１４が挿入されることで、収容部１３に収容されたキャップ頭部２がキャップ保持部１１に対して上側に移動しても、キャップ頭部２の孔部４の内壁面が挿入部１４に当たって、キャップ頭部２がキャップ保持部１１に対してそれ以上上側に移動できないようになっている。これにより、キャップ保持部１１に保持されるキャップ１が上側に抜けることを抑制することができる。
【００３９】
前述したように、キャップ保持部１１を構成する収容部１３の底面により、キャップ頭部２は、下方向の移動が規制される。そして、収容部１３の絞り部１７により、キャップ頭部２がキャップ保持部１１に対して左右方向、下方向及び前方向に移動できないようになっている。また、収容部１３の内部端面２２により、キャップ頭部２がキャップ保持部１１に対して後側に移動できないようになっている。また、キャップ保持部１１を構成する挿入部１４により、キャップ頭部２がキャップ保持部１１に対して上側に移動できないようになっている。したがって、キャップ保持部１１は、キャップ１のキャップ頭部２が前後方向、左右方向及び上下方向にキャップ保持部１１から抜けることを規制することにより、キャップ１を保持することができる。なお、前述したように、キャップ頭部２がキャップ保持部１１に対して下方向に移動を規制する部位は、収容部１３の底面と、収容部１３の絞り部１７との２か所であるが、いずれかでもよい。
【００４０】
前述したように、保持状態における本実施形態のキャップ着脱用工具１０では、収容部１３にキャップ１が収容されており、キャップ頭部２に形成された孔部４に挿入部１４が挿入されている。すなわち、図５Ａ及び図５Ｂに示すように、挿入部１４の前側端面の位置（Ｘ１）は、キャップ頭部２の後側端面の位置（Ｘ２）よりも前側に位置している。これにより、収容部１３に収容されたキャップ頭部２がキャップ保持部１１に対して上側に移動しても、キャップ頭部２の孔部４の内壁面が挿入部１４に当たって、キャップ頭部２がキャップ保持部１１に対してそれ以上上側に移動できないようになっている。
【００４１】
但し、望ましくは、保持状態における本実施形態のキャップ着脱用工具１０では、図５Ａ及び図５Ｂに示すように、挿入部１４の前側端面の位置（Ｘ１）は、キャップ保持部１１の前側端面の位置（Ｘ３）よりも前側に位置していても良い。言い換えれば、キャップ頭部２の孔部４に挿入されているときの挿入部１４の端面（Ｘ１）は、挿入部１４が孔部４に挿入されていないときのキャップ保持部１１の端面（外部端面２３、Ｘ３）よりも突出していても良い。これにより、キャップ保持部１１に保持されるキャップ１が上側に抜けることをさらに抑制することができる。つまり、図５Ａ及び図５Ｂに示すように、保持状態における本実施形態のキャップ着脱用工具１０では、キャップ頭部２の収容部１３への出し入れを容易にするために、キャップ頭部２の後側端面の位置（Ｘ２）と、内部端面２２との間に隙間２４が設けられるように収容部１３が形成されることがある。このような隙間２４が設けられた場合でも、キャップ保持部１１に保持されるキャップ１が上側に抜けることをさらに抑制することができる。但し、キャップ頭部２に形成された孔部４に挿入部１４が挿入されていれば（挿入部１４の前側端面の位置（Ｘ１）がキャップ頭部２の後側端面の位置（Ｘ２）よりも前側に位置していれば）、挿入部１４の前側端面の位置（Ｘ１）は、キャップ保持部１１の前側端面の位置（Ｘ３）よりも前側に位置していなくても良い。
【００４２】
操作部１２は、キャップ１を着脱する際に作業者が手に持つ部位である。また、操作部１２は、キャップ１を保持している状態（保持状態）と、キャップ１を保持していない状態（保持解除状態）とを切り替える部位でもある。操作部１２は、操作ボタン１８を有する。操作ボタン１８は、キャップ保持部１１の挿入部１４と一体的に形成されている部位である。このため、操作ボタン１８が前側に移動することで、挿入部１４も前側に移動し、収容部１３に対して突出する。同様に、操作ボタン１８が後側に移動することで、挿入部１４も後側に移動し、収容部１３に対して突出せずに後側に引っ込んだ状態となる。
【００４３】
前述したように、挿入部１４が前側に突出することで、キャップ頭部２に形成された孔部４から挿入部１４が挿入され、キャップ頭部２がキャップ保持部１１に対して上側に移動できなくなる。これにより、キャップ１は保持状態となる。また、挿入部１４が後側に引っ込むことで、キャップ１のキャップ頭部２に形成された孔部４から挿入部１４が引き抜かれ、キャップ頭部２がキャップ保持部１１に対して上側に移動可能となる。つまり、差し入れ口１５を通ってキャップ１のキャップ頭部２を収容部１３に出し入れ可能となる。これにより、キャップ１は保持解除状態となる。このように、操作部１２の操作ボタン１８を前後方向に移動させることにより、挿入部１４も前後方向に移動し、キャップ１を保持している状態（保持状態）と、キャップ１を保持していない状態（保持解除状態）とを切り替えることができる。なお、本実施形態のキャップ着脱用工具１０では、操作部１２は、設けられなくても良い。
【００４４】
＜キャップ１の着脱動作＞
図６Ａ〜図６Ｃは、キャップ１を保持する様子を示す本実施形態のキャップ着脱用工具１０の断面図である。
【００４５】
図６Ａ〜図６Ｃでは、接続口に装着されたキャップ１を抜去する際に、本実施形態のキャップ着脱用工具１０によりキャップ１を保持する様子を図６Ａから図６Ｃの順に示している。接続口に装着されたキャップ１を抜去する際、作業者は、まずキャップ着脱用工具１０を手に持ち、キャップ保持部１１をキャップ１のキャップ頭部２側に移動させる。前述したように、キャップ保持部１１の収容部１３には、差し入れ口１５が設けられている。図６Ａに示すように、作業者は、差し入れ口１５にキャップ頭部２を差し込み、キャップ頭部２を差し入れ口１５に通して収容部１３に収容する（図６Ｂ参照）。なお、キャップ頭部２を差し入れ口１５に通して収容部１３に収容する際、本実施形態のキャップ着脱用工具１０は、初期状態（保持解除状態）である。すなわち、キャップ保持部１１の挿入部１４は後側に移動し、収容部１３に対して突出せずに後側に引っ込んだ状態である。このため、キャップ頭部２を差し入れ口１５に通して収容部１３に収容することができる。
【００４６】
図６Ｂに示す状態の後、作業者は、操作部１２の操作ボタン１８を前側に押圧する。操作ボタン１８が前側に移動することで、操作ボタン１８と一体的に形成された挿入部１４も前側に移動し、収容部１３に対して突出する。そして、挿入部１４が前側に突出することで、キャップ頭部２に形成された孔部４から挿入部１４が挿入され、キャップ頭部２がキャップ保持部１１に対して上側に移動できなくなる（図６Ｃ参照）。これにより、キャップ１は保持状態となる。そして、作業者は、キャップ１を保持した状態でキャップ着脱用工具１０を接続口から手前（後側）に移動させることにより、接続口からキャップ１が抜去されることになる。
【００４７】
なお、キャップ１を接続口に装着する際、キャップ着脱用工具１０は図６Ｃから図６Ａの順に示す手順で動作することになる。すなわち、キャップ１を接続口に装着する際、作業者は、まずキャップ１を保持した状態のキャップ着脱用工具１０を手に持ち、キャップ保持部１１を接続口側に移動させる（図６Ｃ参照）。接続口にキャップ１を装着した後、作業者は、操作部１２の操作ボタン１８を後側に移動させる。操作ボタン１８が後側に移動することで、操作ボタン１８と一体的に形成された挿入部１４も後側に移動し、収容部１３に対して引っ込んだ状態となる。挿入部１４が後側に引っ込んだ状態となることで、キャップ頭部２に形成された孔部４から挿入部１４が引き抜かれ、キャップ頭部２がキャップ保持部１１に対して上側に移動できるようになる（図６Ｂ参照）。これにより、キャップ１は保持解除状態となる。そして、作業者は、キャップ頭部２を差し入れ口１５に通して収容部１３から引き抜くことができる（図６Ａ参照）。
【００４８】
図６Ａ〜図６Ｃに示すように、本実施形態のキャップ保持部１１は、スプリング１６を有する。スプリング１６は、収容部１３と挿入部１４との位置関係を復元させる部材である。スプリング１６は、収容部１３が設けられた部材と、挿入部１４が設けられた部材との間に配置されている。具体的には、スプリング１６の前端部は収容部１３が設けられた部材に支持されており、スプリング１６の後端部は挿入部１４が設けられた部材に支持されている。キャップ１を保持する際に、操作部１２の操作ボタン１８を前側に押圧することで挿入部１４が設けられた部材が前側に押圧されると、スプリング１６が圧縮変形すると共に、挿入部１４が収容部１３に対して前側に移動する。圧縮変形したスプリング１６が復元すると、挿入部１４が収容部１３に対して後側に移動して元の位置に戻ることになる。これにより、保持状態から保持解除状態に容易に切り替えることができる。但し、本実施形態のキャップ保持部１１は、スプリング１６を有していなくても良い。
【００４９】
＜変形例＞
図７Ａ及び図７Ｂは、キャップ１を保持する様子を示す本実施形態の変形例に係るキャップ着脱用工具１０の平面図である。
【００５０】
前述した本実施形態では、光アダプタ９３は、ＬＣコネクタ同士を接続する光アダプタであった。図２に示すように、単心タイプの光コネクタプラグの接続口９４に対してキャップ１が装着されており、キャップ着脱用工具１０は、それぞれの接続口９４に装着されているキャップ１を一つずつ着脱することができた。しかし、本変形例のキャップ着脱用工具１０では、例えばＤＬＣコネクタ同士を接続する光アダプタなど、隣接する複数の接続口を有する光アダプタでも使用可能である。すなわち、複数（ここでは、２個）のキャップ保持部１１がそれぞれ備える挿入部１４を、複数（ここでは、２個）のキャップ１の孔部４にそれぞれ挿入させることができる。
【００５１】
＝＝＝その他＝＝＝
前述の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【符号の説明】
【００５２】
１  キャップ、２  キャップ頭部、３  フランジ、４  孔部、
５  キャップ本体部、１０  キャップ着脱用工具、１１  キャップ保持部、
１２  操作部、１３  収容部、１４  挿入部、１５  差し入れ口、
１６  スプリング、１７  絞り部、１８  操作ボタン、１９  持ち手、
２０  本体部、２１  スライド部、２２  内部端面、２３  外部端面、
２４  隙間、９０  光配線ユニット、９１  筐体、
９２  光ファイバ収容トレイ、９３  光アダプタ、９４  接続口
【図１】
2019219441.tif 000003
【図２】
2019219441.tif 000004
【図３】
2019219441.tif 000005
【図４】
2019219441.tif 000006
【図５】
2019219441.tif 000007
【図６】
2019219441.tif 000008
【図７】
2019219441.tif 000009